(57)【要約】【課題】駅等において監視し、簡易かつ確実に安全対策を施すことを可能にする検出システムを提供すること。【解決手段】駅ＳＴ等の監視対象すなわち検出範囲を撮像した画像ＧＧについて領域を分割してできる複数の分割領域ＤＤ１，ＤＤ２に関し、分割領域間での移動ベクトルＭＶ１，ＭＶ２を比較することで、画像ＧＧ中の移動体である列車ＴＲや乗客ＨＵの移動状態の変化、すなわち列車ＴＲに対する乗客ＨＵの相対的な関係を検出する。【選択図】図４
2020138630.tif 000002
【特許請求の範囲】
【請求項１】
検出範囲を撮像した画像における複数の分割領域の移動ベクトルを比較して移動体の移動状態の変化を検出する検出システム。
【請求項２】
前記移動ベクトルは、オプティカルフローにより抽出される、請求項１に記載の検出システム。
【請求項３】
前記複数の分割領域は、駅において列車が存在し得る列車領域と、駅ホームの領域とを含む、請求項１及び２のいずれか一項に記載の検出システム。
【請求項４】
前記複数の分割領域のうち、一の領域に存在する前記移動体としての第１検出対象と、他の領域に存在する前記移動体としての第２検出対象とについてそれぞれ検出し、
前記第１及び第２検出対象に関する検出結果を比較して前記第１及び第２検出対象の一方が他方に挟まれたか否かを判定する、請求項１〜３のいずれか一項に記載の検出システム。
【請求項５】
撮像される前記検出範囲に列車のドアが含まれる、請求項４に記載の検出システム。
【請求項６】
前記複数の分割領域は、駅において列車が存在し得る列車領域を前記一の領域として含み、駅ホームの領域を前記他の領域として含み、
駅から列車が出発した際に、前記駅ホームの領域における前記第２検出対象の移動ベクトルについて、前記列車領域における前記第１検出対象の移動ベクトルと相関性を有するものが存在する場合に、前記第２検出対象が前記第１検出対象に挟まれたと判定する、請求項４及び５のいずれか一項に記載の検出システム。
【請求項７】
前記駅ホームの領域において、前記列車領域における前記第１検出対象の移動ベクトルと相関性を有する前記第２検出対象の移動ベクトルを検出した一塊の領域について、大きさを測定する、請求項６に記載の検出システム。
【請求項８】
前記複数の分割領域のうち、前記移動ベクトルを比較する領域は、隣接している、請求項１〜７のいずれか一項に記載の検出システム。
【発明の詳細な説明】
【技術分野】
【０００１】
本発明は、例えば駅のホーム等にいる人や人に付随する物等について検出をする検出システムに関する。
【背景技術】
【０００２】
例えば、電車のドア等において使用される安全システムとして、カメラで撮像した画像と基準画像とを比較して安全か否かを判断するもの（特許文献１参照）が知られている。
【０００３】
また、列車におけるドアによる挟み込みを監視するために、監視カメラにおいてドアの開閉状態を知らせる点灯が撮像された場合に、当該監視カメラをズームアップさせるもの（特許文献２参照）が知られている。
【０００４】
しかしながら、例えば、上記特許文献１での検知では、基準画像を予め用意してこれとの比較を要する。また、上記特許文献２での検知では、状況把握のために監視カメラによるズームアップをする必要がある。
【先行技術文献】
【特許文献】
【０００５】
【特許文献１】特表２００４−５２７６７５号公報
【特許文献２】特開２０１１−２４０８４６号公報
【発明の概要】
【０００６】
本発明は上記した点に鑑みてなされたものであり、駅等において監視し、簡易かつ確実に安全対策を施すことを可能にする検出システムを提供することを目的とする。
【０００７】
上記目的を達成するための検出システムは、検出範囲を撮像した画像における複数の分割領域の移動ベクトルを比較して移動体の移動状態の変化を検出する。
【０００８】
上記検出システムでは、駅等の監視対象すなわち検出範囲を撮像した画像について領域を分割してできる複数の分割領域に関し、分割領域間での移動ベクトルを比較することで、画像中の移動体の移動状態の変化（例えば二物体間の相対的な関係）を検出することができる。これにより、基準画像の準備や監視カメラのズームアップ等を要することなく、駅等の検出範囲すなわち監視範囲における安全対策を簡易かつ確実に行うことが可能となる。より具体的には、検出範囲として、例えば駅のホーム及びその周辺において撮像した画像を、ホーム側の領域と列車側の領域とで分割し、分割された複数の分割領域について、分割領域間での移動体である人や列車等の移動体の移動ベクトルを比較することで、発車する列車のドアによるホーム上にある人等の物体の挟み込みの有無や、ホームから線路内への人等の転落等が検出可能になる。
【０００９】
本発明の具体的な側面では、移動ベクトルは、オプティカルフローにより抽出される。この場合、迅速な検出が可能になる。
【００１０】
本発明の別の側面では、複数の分割領域は、駅において列車が存在し得る列車領域と、駅ホームの領域とを含む。この場合、駅のホーム及びその周辺を監視して、安全対策を施すことができる。
【００１１】
本発明のさらに別の側面では、複数の分割領域のうち、一の領域に存在する移動体としての第１検出対象と、他の領域に存在する移動体としての第２検出対象とについてそれぞれ検出し、第１及び第２検出対象に関する検出結果を比較して第１及び第２検出対象の一方が他方に挟まれたか否かを判定する。この場合、第１及び第２検出対象に関する挟み込みを検出できる。
【００１２】
本発明のさらに別の側面では、撮像される検出範囲に列車のドアが含まれる。この場合、列車のドアにおける挟み込みを検出できる。
【００１３】
本発明のさらに別の側面では、複数の分割領域は、駅において列車が存在し得る列車領域を一の領域として含み、駅ホームの領域を他の領域として含み、駅から列車が出発した際に、駅ホームの領域における第２検出対象の移動ベクトルについて、列車領域における第１検出対象の移動ベクトルと相関性を有するものが存在する場合に、第２検出対象が第１検出対象に挟まれたと判定する。この場合、移動ベクトルの相関性に基づき、確実な挟み込みの検出ができる。
【００１４】
本発明のさらに別の側面では、駅ホームの領域において、列車領域における第１検出対象の移動ベクトルと相関性を有する第２検出対象の移動ベクトルを検出した一塊の領域について、大きさを測定する。この場合、検出対象の大きさに基づく判定が可能になる。
【００１５】
本発明のさらに別の側面では、複数の分割領域のうち、移動ベクトルを比較する領域は、隣接している。この場合、隣接する領域間における移動状態の変化を検出できる。
【図面の簡単な説明】
【００１６】
【図１】検出システムの一構成例を示す概念図である。
【図２】検出システムの一構成例を示す別の概念図である。
【図３】（Ａ）〜（Ｃ）は、検出範囲を撮像した画像における領域の分割について一例を説明するための概念的な画像図である。
【図４】（Ａ）は、検出範囲を撮像した画像において隣接する分割領域の一例を示す概念的な画像図であり、（Ｂ）及び（Ｃ）は、（Ａ）において隣接する分割領域間における移動ベクトルについて一例を示すための概念的な画像図である。
【図５】検出システムの全体動作の一例を説明するためのフローチャートである。
【図６】検出システムの動作のうち引きずり検出の一例を説明するためのフローチャートである。
【図７】検出システムの別の使用態様における一構成例を示す概念図である。
【図８】隣接する分割領域間における移動ベクトルについて一例を示すための概念的な画像図である。
【発明を実施するための形態】
【００１７】
以下、図１等を参照して、一実施形態に係る検出システムについて一例を説明する。図１及び図２は、本実施形態に係る検出システム５００の一構成例を示す概念図である。
【００１８】
ここでは、図１に概要の一例を示すように、検出システム５００は、撮像部（カメラ）１０と、制御装置２００と、ディスプレイ表示部３０とを備える。
【００１９】
撮像部１０は、例えばＣＣＤやＣＭＯＳ等の個体撮像素子で構成される撮像カメラであり、例えば駅のホーム（駅ホーム）ＰＦの上方側や側方側に固定的に設置され、ホームＰＦや列車ＴＲを撮像する。すなわち、撮像部１０により、ホームＰＦやその周辺を監視対象エリアとして定点観測のための撮像が行われる。なお、撮像部１０は、画像データとして、例えば３０ｆｐｓのフレームレートで２次元画像データ（連続画像データ）を取得している。
【００２０】
制御装置２００は、各種画像処理や、通信等の制御一般を担う。このため、制御装置２００は、画像処理装置１００や、通信部ＴＣを備える。これらのうち、例えば、画像処理装置１００は、撮像部１０で取得した画像データに各種処理を施してディスプレイ表示部３０に表示を行う。また、通信部ＴＣは、例えば緊急時における駅側と列車ＴＲ側との間での交信を可能にしている。なお、図示の例では、通信部ＴＣは、列車ＴＲに搭載された通信部ＴＣｒに対して緊急時の連絡がなされるものとなっている。
【００２１】
ディスプレイ表示部３０は、撮像部１０により撮像された画像について映し出すモニターであり、例えばホームＰＦ上の所定位置に設置され、列車ＴＲの乗務員（車掌や運転士）等によって確認可能になっている。特に、本実施形態では、ディスプレイ表示部３０は、撮像部１０で撮像したものをそのまま映し出す場合のほか、制御装置２００における処理内容の結果に応じた表示が可能となっている。
【００２２】
検出システム５００のより具体的な一態様としては、図２に例示するように、撮像部１０やディスプレイ表示部３０は、複数の撮像部１０Ａ，１０Ｂ，１０Ｃ…や、複数のディスプレイ表示部３０Ａ，３０Ｂ，３０Ｃ…がセットになって設けられている。一方、制御装置２００は、内部において、複数の画像処理装置１００Ａ，１００Ｂ，１００Ｃ…が、撮像部１０Ａ，１０Ｂ，１０Ｃ…やディスプレイ表示部３０Ａ，３０Ｂ，３０Ｃ…に対応して設けられており、これらを統括制御している。
【００２３】
さらに、検出システム５００では、撮像部１０Ａ，１０Ｂ，１０Ｃ…が、線路ＴＫ（図１参照）に沿うように配置されていることで、検出システム５００は、駅ＳＴにて発着する列車ＴＲにおける利用者の乗降の様子の全体について監視可能となっている。例えば、撮像部１０Ａ，１０Ｂ，１０Ｃ…は、一台につき列車の車両２つ分について監視可能となるように、設置することで、車両に設けられている出入り口であるドアとドアでの出入りの様子について撮像可能となっている。
【００２４】
以上のように、本実施形態では、特に、検出システム５００によって、列車ＴＲの乗降口であるドア及びその周辺を撮像範囲すなわち検出範囲としている。すなわち、駅において列車ＴＲが存在し得る列車領域と、ホームＰＦの領域のうち列車領域に隣接する箇所とを、検出範囲とすることができる。
【００２５】
また、制御装置２００の一構成例について、例えば画像処理装置１００Ａは、撮像部１０で取得した画像データを取り扱うための映像制御部１１０Ａとして、映像分配器１１１と、画像処理部１１２と、切替器１１３とを有している。
【００２６】
映像分配器１１１は、対応する撮像部１０Ａからの画像データを取得するとともに、これをそのまま映像として映し出すための通常表示用分配データＤＡ１と、目的とする検出を行うための検出用分配データＤＡ２とに分配する。つまり、通常表示用分配データＤＡ１は、直接的に切替器１１３に出力され、検出用分配データＤＡ２は、画像処理部１１２に出力される。
【００２７】
画像処理部１１２は、映像分配器１１１から分配された検出用分配データＤＡ２に基づいて画像解析をする。ここでは特に、列車による人等の挟み込みの有無についての解析を行い、挟み込みが検出された場合には、その旨に関するデータである非常時データＤＡｅを切替器１１３に出力する。なお、挟み込みの検出等に関する具体的な手法については、図３等を参照して後述する。
【００２８】
切替器１１３は、画像処理部１１２での解析結果に応じて、ディスプレイ表示部３０Ａに表示させる画像データの切替えを行う。すなわち、通常時においては、通常表示用分配データＤＡ１側に切り替えて撮像部１０Ａからの画像データをそのまま映像として映し出す一方、画像処理部１１２での解析結果、挟み込みが検出された場合には、これに応じた緊急表示を行わせるべく切り替えをして、画像処理部１１２からの非常時データＤＡｅを出力させる。
【００２９】
なお、詳しい説明や図示を省略するが、制御装置２００を構成する他の画像処理装置１００Ｂ，１００Ｃ…についても、同様の構成を有する映像制御部１１０Ｂ，１１０Ｃ…を備える。
【００３０】
そのほか、検出システム５００は、例えば、外部への通知をする通知部として機能するスピーカ（サイレン）ＳＫや非常灯ＥＬ等を有し、映像制御部１１０Ａ，１１０Ｂ，１１０Ｃ…での画像解析の結果から、必要に応じて、緊急時等の適切なタイミングでの報知を可能にしている。
【００３１】
検出システム５００は、上記のような構成を有することで、画像解析による各種監視を可能としており、ここでは特に、駅ＳＴからの列車ＴＲの出発に際して、列車のドアにおける人等の挟み込みの有無を検出可能にしている。
【００３２】
本実施形態では、特に、検出範囲を撮像した画像について複数の部分領域に分割すなわち領域分けをし、作成された複数の分割領域において、オプティカルフローにより抽出される移動ベクトルを比較することで、各領域中における検出対象である列車や人等の移動体の動きを解析可能としている。より具体的には、駅ＳＴにおいて列車ＴＲの出発に際して、列車ＴＲが存在し得る列車領域における移動ベクトルと、ホームＰＦの領域における移動ベクトルとについての相関関係を比較することで、列車ＴＲに引きずられている物体等が存在するか否かを検出することで、列車のドアにおける人等の挟み込みの有無を検出している。
【００３３】
以下、図３等を参照して、検出システム５００において目的とする検出を可能とするための準備段階として、検出範囲を撮像した画像における領域の分割について一例を説明する。
【００３４】
なお、本実施形態では、撮像対象である実物とそれを撮像した画像とについて、同じ符号を付すことがあるものとする。例えば、図１に示す実物のホームＰＦや列車ＴＲ等を、図３（Ａ）に示すディスプレイ表示部に映し出した画像ＧＧにおいても、同じ符号のＰＦやＴＲで示している。
【００３５】
まず、図３（Ａ）に例示するように、撮像部１０（図１等参照）によって撮像した画像ＧＧが、駅ＳＴに停車中の列車ＴＲとそれに隣接するホームＰＦとを含むように、撮影位置や撮像範囲等を設定する。次に、図３（Ｂ）及び図３（Ｃ）に例示するように、図３（Ａ）に示す画像ＧＧのうち、列車ＴＲが存在し得る列車領域を含む第１分割領域ＤＤ１と、ホームＰＦのうち列車領域に隣接している領域を含む第２分割領域ＤＤ２とを抽出する。
【００３６】
図示の例では、第１分割領域ＤＤ１は、例えば列車ＴＲの建築限界等に基づいて定められ、列車ＴＲが駅ＳＴを発着する際や通過する際に通る領域が含まれるようになっている。すなわち、図３（Ｃ）に示すように、第１分割領域ＤＤ１における移動ベクトルＭＶ１は、主として列車ＴＲあるいは列車ＴＲとともに移動する物体（移動体）の動きを示すものとなる。一方、第２分割領域ＤＤ２における移動ベクトルＭＶ２は、ホームＰＦのうち発着する列車ＴＲの直近領域の物体（移動体）の動きを示すものとなる。より具体的には、ここでの一例では、第２分割領域ＤＤ２は、ホームＰＦのうちハッチングで示す列車発着時における安全な範囲の目安となるラインＬＬを超えた接触の危険性が高い外側の領域としている。なお、列車ＴＲ等の第１分割領域ＤＤ１における検出対象を第１検出対象とし、ホームＰＦ上にいる乗客ＨＵ等の第２分割領域ＤＤ２における検出対象を第２検出対象とする。すなわち、本実施形態では、第１分割領域ＤＤ１と第２分割領域ＤＤ２とのうち、一の領域である第１分割領域ＤＤ１に存在する移動体としての第１検出対象（列車ＴＲ）と、他の領域である第２分割領域ＤＤ２に存在する移動体としての第２検出対象（乗客ＨＵ）とについて、それぞれ検出している。この上で、第１検出対象たる列車ＴＲと第２検出対象たる（乗客ＨＵ）とに関する検出結果である移動ベクトルＭＶ１，ＭＶ２を比較して、第１及び第２検出対象の一方が他方に挟まれたか否かを判定している。
【００３７】
図４（Ａ）は、検出範囲を撮像した画像ＧＧにおいて隣接する分割領域の他の一例を示す概念的な画像図である。なお、図３の場合と同様、ここでも、第１分割領域ＤＤ１は列車領域を含み、第２分割領域ＤＤ２は、ホームＰＦ上の外側の領域を含むものとしている。より具体的には、図示のように、第１分割領域ＤＤ１には、列車ＴＲの少なくとも一部が含まれており、特に、停車時における列車ＴＲのドアＤＲが含まれるようになっている。一方、第２分割領域ＤＤ２には、ホームＰＦのうち列車ＴＲの直近すなわちホームの端側が含まれており、特に、ドアＤＲに隣接する乗降箇所が含まれるようになっている。図示の例では、第１分割領域ＤＤ１には列車ＴＲが停車しており、第２分割領域ＤＤ２やこれ以外のホームＰＦ上の領域には、複数の人（乗客）ＨＵが存在している。この場合、列車ＴＲは、ドアＤＲが閉じられた後、一定の方向に動き始めるが、複数の乗客ＨＵについては、個々バラバラに種々の方向に動いていることになる。
【００３８】
したがって、以上の場合、第１分割領域ＤＤ１における移動ベクトルＭＶ１は、列車ＴＲの進行方向とその大きさすなわち速さを示すものとなるが、列車ＴＲの出発時の動作の一様性から、移動ベクトルＭＶ１は、毎回同様の定まったパターンの変化を示すと考えられる。つまり、図４（Ｂ）及び４（Ｃ）に破線で囲って例示するように、移動ベクトルＭＶ１は、発車に際して、列車ＴＲの進行方向及び速度に沿った一様なパターンが毎回表示される。
【００３９】
一方、第２分割領域ＤＤ２における移動ベクトルＭＶ２は、図４（Ｂ）及び４（Ｃ）に示すように、ホームＰＦ上における人や物の動きに応じて、その時々で様々な変化を示すと考えられる。ただし、図４（Ｃ）において破線で囲って例示するように、移動ベクトルＭＶ２が、近隣の移動ベクトルＭＶ１と同様の大きさや方向を示すものと一致するような場合には、列車ＴＲのドアに挟まれて動き出した列車ＴＲに引きずられている状態にある物体についての動きを捉えたものとなっている可能性が非常に高いと考えられる。すなわち、駅ＳＴから列車ＴＲが出発した際に、ホームＰＦの領域である第２分割領域ＤＤ２における第２検出対象たる人（乗客）ＨＵの移動ベクトルＭＶ２について、列車領域を含む第１分割領域ＤＤ１における第１検出対象たる列車ＴＲの移動ベクトルＭＶ２と相関性を有するものが存在する場合に、第２検出対象たる乗客ＨＵが第１検出対象たる列車ＴＲに挟まれたと判定する。以上のように、本実施形態の検出システム５００では、このような動きを捉えることで、いわゆる列車ＴＲにおける挟み込みを迅速かつ的確に検出可能としている。
【００４０】
以下、オプティカルフロー法による移動ベクトルＭＶ１，ＭＶ２の抽出方法について簡単に説明する。ここでは、画像ＧＧの各分割領域ＤＤ１，ＤＤ２における注目画素あるいは注目領域について、連続画像の第１フレームと第ｋフレーム（ｋ≧２）とにおける位置の差を算出することで、領域内の注目画素あるいは注目領域についての移動ベクトルＭＶ１，ＭＶ２が抽出される。なお、注目画素あるいは注目領域については、種々の捉え方が可能であり、例えば列車ＴＲ側すなわち第１分割領域ＤＤ１内では、ドアや窓の枠部分、あるいは列車ＴＲの模様や凹凸部分等を注目画素あるいは注目領域として捉え、これらの連続画像間での動きから移動ベクトルＭＶ１が抽出される。一方、乗客ＨＵ側すなわち第２分割領域ＤＤ２内では、例えば乗客ＨＵの顔や服の輪郭部分（画像のエッジ部分）等を注目画素あるいは注目領域として捉え、これらの連続画像間での動きから移動ベクトルＭＶ２が抽出される。オプティカルフロー法を利用する場合、各分割領域ＤＤ１，ＤＤ２における注目画素あるいは注目領域さえ捉えることができれば、必要な移動ベクトルＭＶ１，ＭＶ２の抽出が可能であり、例えば検出対象となるオブジェクト画像を全体画像から抽出する、といったことを要しない。このため、例えば抽出したオブジェクト画像から、さらに当該オブジェクト画像の動作を捉える、といった方法をとる場合に比べて、迅速な画像処理が可能となる。これにより、列車ＴＲが出発してから発生が確認される挟み込みを素早く察知して列車ＴＲに報知し挟み込まれた人等が引きずられてしまう前に緊急停止させる、といった一連の動作を達成させることが可能になる。
【００４１】
以下、図５及び図６のフローチャートを参照して、検出システム５００の全体動作の一例について説明する。
【００４２】
まず、制御装置２００あるいは検出システム５００が起動し、撮像部１０からの画素データについての入力（画像入力）がなされると（ステップＳ１０１）、制御装置２００は、列車ＴＲの検出を行う（ステップＳ１０２）。すなわち、列車ＴＲの在線確認を行う。
【００４３】
なお、列車ＴＲの在線確認の方法については、種々のものが考えられ、例えば画像処理装置１００での画像解析処理から列車ＴＲの有無を判断してもよいが、駅に備えられた在線確認のための各種装置での検出結果を制御装置２００あるいは検出システム５００において受け付けることで確認可能としてもよい。
【００４４】
ステップＳ１０２での確認の結果、列車ＴＲが在線していないと判断された場合（ステップＳ１０３：Ｎｏ）、挟み込みに関する検出を行うタイミングではないと判断し、ステップＳ１０１からの動作に戻る。一方、ステップＳ１０２での確認の結果、列車ＴＲが在線していると判断された場合（ステップＳ１０３：Ｙｅｓ）、制御装置２００は、さらに、在線している列車ＴＲのドアＤＲが開いているか否かを確認する（ステップＳ１０４）。
【００４５】
なお、列車ＴＲのドアＤＲが開いているか否かの確認方法については、種々のものが考えられ、例えば画像処理装置１００での画像解析処理から判断してもよいが、駅に備えられた各種センサー等での検出結果を制御装置２００あるいは検出システム５００において受け付けることで確認可能としてもよい。
【００４６】
ステップＳ１０４での確認の結果、列車ＴＲのドアＤＲが開いていると判断された場合（ステップＳ１０５：Ｙｅｓ）、挟み込みに関する検出を行うタイミングではないと判断し、ステップＳ１０４からの動作に戻る。一方、ステップＳ１０４での確認の結果、列車ＴＲのドアＤＲが開いていない（閉じている）と判断された場合（ステップＳ１０５：Ｎｏ）、ドアＤＲによる挟み込みとそれに伴う引きずり発生の可能性があるものとして、挟み込みに関する検出を開始する（ステップＳ１０６）。ここでは、ステップＳ１０６における挟み込みに関する検出を引きずり検出と呼ぶこととする。
【００４７】
なお、ステップＳ１０６での引きずり検出を終えると、制御装置２００あるいは検出システム５００は、再びステップＳ１０１からの動作に戻り、上述した一連の動作を繰り返す。
【００４８】
以下、図６のフローチャートを参照して、図５におけるステップＳ１０６の引きずり検出の処理について、具体的一例を説明する。
【００４９】
まず、制御装置２００は、人（乗客）ＨＵ等の列車ＴＲへの接触の有無等を判定する触車判定を行う（ステップＳ２０１）。触車判定については、種々の方法が考えられるが、例えば、車掌による目視のほか、各種センサーや画像判定手段等を設けることが考えられる。
【００５０】
ステップＳ２０１の結果、触車ありと判定された場合（ステップＳ２０２：Ｙｅｓ）、制御装置２００は、駅員や運転士、車掌等に報知すべく警報出力の動作を行う（ステップＳ２０３）。
【００５１】
一方、ステップＳ２０１の結果、触車ありと判定されない場合（ステップＳ２０２：Ｎｏ）、制御装置２００は、挟み込みの発生があるか否かを確認すべくオプティカルフローによる一例の処理（ステップＳ２０４〜ステップＳ２０６）を開始する。
【００５２】
ここで、上記のように、ステップＳ２０１での判定において、触車ありと判定されない場合、その他の安全が併せて確認されることで、列車ＴＲは出発することになる。しかしながら、ステップＳ２０１の触車判定において触車ありと判定されない場合（ステップＳ２０２：Ｎｏ）であっても、例えば車掌による目視の際の見落としや、各種センサーや画像判定手段等において検知されないことあるいは検知されたがこれを車掌が見落とすこと等により、実際には、ドアＤＲにおいて挟み込み等が生じてしまっている可能性もある。
【００５３】
本実施形態では、このように、列車ＴＲのドアＤＲが閉じて、かつ、触車ありと判定されず、列車ＴＲが出発し始めた段階において、見落とされた挟み込みの発生を画像処理を利用して異なる観点から迅速に検出し、大きな引きずりによる事故が発生する前に列車に停止命令を発することを可能にしている。
【００５４】
以下、図６のフローチャートに戻って、上記した画像処理の具体的内容についての一例を説明する。ステップＳ２０２において、触車ありと判定されない場合に（ステップＳ２０２：Ｎｏ）、まず、制御装置２００は、オプティカルフローによる算出をする（ステップＳ２０４）。すなわち、制御装置２００の各画像処理装置１００において、予め画像ＧＧを区切った第１分割領域ＤＤ１及び第２分割領域ＤＤ２における移動ベクトルＭＶ１及び移動ベクトルＭＶ２をそれぞれ抽出し、これらの移動方向や移動量（大きさ）を算出する（ステップＳ２０４）。さらに、画像処理装置１００は、抽出した両ベクトルＭＶ１，ＭＶ２を比較する、すなわち列車領域を含む第１分割領域ＤＤ１でのオプティカルフローとホーム領域を含む第２分割領域ＤＤ２でのオプティカルフローとを比較することで（ステップＳ２０５）、両者における移動状態の変化から動きに関するこれらの間での相関関係の有無を確認する。より具体的には、制御装置２００は、各画像処理装置１００（１００Ａ，１００Ｂ，１００Ｃ…）での検出結果について、第１分割領域ＤＤ１で検出される列車の移動と同じ移動量かつ移動方向のものが、第２分割領域ＤＤ２において検出され、さらに、検出された場合に、該当するものが、一定以上の面積を有するか否かを確認する（ステップＳ２０６）。
【００５５】
ステップＳ２０６において、一定以上の面積を有するものが列車の移動と同じ移動量かつ移動方向で動いていることが確認された場合（ステップＳ２０６：Ｙｅｓ）、制御装置２００は、駅員や運転士、車掌等に報知すべく警報出力の動作を行う（ステップＳ２０３）。なお、この場合、特に緊急性を要する可能性が高く、通常の警報出力に加え、さらに、即時停止をさせるべく停止命令を運転士や車掌に通報する態様とすることも考えられる。
【００５６】
一方、ステップＳ２０６において、列車の移動と同じ移動量かつ移動方向で動いているものが無い場合や、あっても一定以上の面積を有するものでない場合（ステップＳ２０６：Ｎｏ）、列車の進行について、挟み込みに起因した支障は発生していないものと判断し、引きずり検出に関する一連の処理を終了し、図５のステップＳ１０１からの動作に戻る。
【００５７】
以上のうち、ステップＳ２０６における一定以上の面積すなわち当該面積に相当する大きさの物体が列車とともに移動しているか否かについても、オプティカルフローを利用することで、対応する箇所そのものを抽出する必要が無く、列車の移動に一致する移動ベクトルＭＶ２を検出した一塊の領域を見ることで判断できる。つまり、移動ベクトルＭＶ１と相関性を有する移動ベクトルＭＶ２を検出した一塊の領域について大きさを測定することで、挟まれているか否かを検出する検出対象の存在をその大きさに基づいて判定している。
【００５８】
なお、上記における一定以上の面積については、建築限界との関係やノイズ等に基づく誤検知を抑制すること等の種々の観点から、列車の走行に支障を来たさない範囲で適宜設定される。
【００５９】
また、以上の場合、ホーム上での引きずり発生に関する危険性の判断に加え、列車内の乗客あるいは当該乗客が身に着けている物の一部がドアからはみ出した状態となった場合にも、これらを適切に検出し、対処することができる。
【００６０】
以上のように、本実施形態に係る検出システム５００では、駅ＳＴ等の監視対象すなわち検出範囲を撮像した画像ＧＧについて領域を分割してできる複数の分割領域ＤＤ１，ＤＤ２に関し、分割領域間での移動ベクトルＭＶ１，ＭＶ２を比較することで、画像ＧＧ中の移動体である列車ＴＲや乗客ＨＵの移動状態の変化、すなわち列車ＴＲに対する乗客ＨＵの相対的な関係を検出することができる。これにより、基準画像の準備や監視カメラのズームアップ等を要することなく、駅等の検出範囲すなわち監視範囲における安全対策を簡易かつ確実に行うことが可能となる。より具体的には、駅のホームＰＦ及びその周辺において撮像した画像ＧＧを、ホーム側の領域である第２分割領域ＤＤ２と列車側の領域である第１分割領域ＤＤ１とで分割し、各分割領域ＤＤ１，ＤＤ２について、分割領域間での移動体である人（乗客ＨＵ）や列車ＴＲ等の移動体の移動ベクトルＭＶ１，ＭＶ２を比較することで、発車する列車ＴＲのドアＤＲによるホームＰＦ上にある人（乗客ＨＵ）等の物体の挟み込みの有無が検出可能になる。
【００６１】
以下、一般に、列車のドアにおける物体の挟み込みの検出において、各種処理のために許容される時間について考察する。
【００６２】
まず、一般に、列車の起動時からすなわち速度０からの発進加速度（起動加速度）は、２．３〜３．５ｋｍ／ｈ（時）／ｓ（秒）と言われている。そこで、起動加速度を３．５ｋｍ／ｈ／ｓとすると、起動時からの経過時間と、移動距離（起動加速度から累積して求められる累積移動距離）との関係は、以下の表１のようになる。
【表１】
2020138630.tif 000003
【００６３】
ここで、人の一歩分の大きさが０．５ｍ程度であることから、例えば列車が０．５ｍ移動するまでに停止させるものとし、さらに、上記発進加速度（起動加速度）と停止に向けた減速加速度とが等しいとする。こう考えると、列車が上記０．５ｍの半分すなわち０．２５ｍ移動するまでに挟み込みの検出がなされることが望ましいことになる。表１から発信から０．２５ｍの位置までの移動する時間は、０．７秒程度と考えられる。
【００６４】
また、一方で、一般的な人の歩行速度が約２．０ｋｍ／ｈ〜４．０ｋｍ／ｈ（０．５ｍ／ｓ〜１．１ｍ／ｓ）とすると、これらの動きと区別できる速度（人の歩行よりも遅い速度）で列車が移動するのは、発車から０．５秒程度以内である。
【００６５】
したがって、人の歩行と区別可能な列車の移動を検知できる発車から０．５秒程度までの間において取得した連続画像を利用して、かつ、０．７秒程度までに検出結果を出そうとすると、当該連連続画像に基づいて判定を行うために利用できる時間は、０．７秒−０．５秒＝０．２秒程度ということになる。これに対して、本実施形態では、判定のための画像処理として、オプティカルフローによる算出を利用していることで、０．２秒程度であっても判定結果の算出が可能であるようにしている。なお、例えば、水上嘉樹，多田村克己："汎用グラフィックプロセッサを用いたオプティカルフロー計算"，画像電子学会誌３７巻４号ｐ．４２８−４３５（２００８）等を参照すれば、上記のような短い時間での算出について、求める精度等に応じて、適宜、ハードウェアや計算方法の選択を行うことで可能であることが分かる。
【００６６】
以下、図７等を参照して、検出システム５００の別の使用態様について一例を説明する。
【００６７】
上記した一例では、駅に停車している列車のドアが閉まっている時点において人等の物体の挟み込みの有無を検出するものとしているが、これ以外の場合の安全確保のための検出として、例えば駅に列車が停車していない間において、ホームから線路内への人等の転落等を検出することが考えられる。ここでは、かかる検出を、検出システム５００を利用して行うことについて考察する。
【００６８】
以下、図７及び図８を参照して、上記のような人等の転落に関する検出システム５００の使用態様について、一例を説明する。なお、図７は、検出システム５００の別の使用態様における一構成例を示す概念図であり、図１に対応する図である。また、図８は、隣接する分割領域間における移動ベクトルについて一例を示すための概念的な画像図であり、図４（Ｂ）あるいは図４（Ｃ）に対応する図である。
【００６９】
例えば図７に示すように、線路ＴＫ上に列車が存在しない場合において、ホーム上の乗客ＨＵが、矢印Ａ１に示すように、線路ＴＫに向かって進んでいる場合、図８に例示するように、画像処理装置１００での解析結果として得られる移動ベクトルについては、まず、第１分割領域ＤＤ１には列車が存在せず、列車の動きを示す移動ベクトルＭＶ１（図４（Ｂ）等参照）のようなものは検出されない。一方、第２分割領域ＤＤ２の移動ベクトルＭＶ２としては、第１分割領域ＤＤ１に向かう成分が検出されることになる。したがって、当該移動ベクトルＭＶ２の算出結果に基づいて、人等が第１分割領域ＤＤ１すなわち線路ＴＫ内に落ちた、あるいは、このままだと線路ＴＫに落ちる可能性がある、といったことを判定できる。この場合、例えば、制御装置２００において、駅構内の駅員や、駅に向かいつつある列車の運転士や車掌に対して、人等の転落に関する判定結果を送信し、警告等を行うことができる。
【００７０】
〔その他〕
この発明は、上記の実施形態に限られるものではなく、その要旨を逸脱しない範囲において種々の態様で実施することが可能である。
【００７１】
まず、上記実施形態では、図３の例では、第１分割領域ＤＤ１を列車ＴＲの通過範囲の全体に対応させているが、これに限らず、例えば列車ＴＲの通過範囲の一部のみを第１分割領域ＤＤ１としてもよい。特に、背景部分を除くようにすることで、列車以外の動きを捉えた移動ベクトルの発生を抑制することで意図しないベクトル（ノイズ）を除去してより精度の高い検出を行うことが期待できる。特に、列車ＴＲの通過範囲の一部のみを抽出する場合、注目画素あるいは注目領域となりやすい箇所を含むようにしておくことで、必要に足る移動ベクトルの検出が確保されると考えられる。
【００７２】
また、上記では、画像処理において、オプティカルフローによる移動ベクトルの抽出を利用して、分割領域間の比較判定を行っているが、処理時間の条件等を満たせば、オプティカルフローに限らず、種々の画像処理方法を利用することが考えられる。例えば、背景画像との差異により検出した物体の移動量を算出する背景差分を利用する方法や、事前に用意したパターン画像との類似度により検出した物体の移動量を算出するパターンマッチングを利用する方法等が考えられる。ただし、背景差分の場合、フレーム間でのマッチングが必要となる。また、パターンマッチングの場合、検出対象ごとにパターン画像を事前に用意する必要がある。これに対して、オプティカルフローの場合、かかる準備を要しないため、簡易かつ迅速な算出が期待される。さらに、列車ＴＲ側の画像については、一部のみを対象としたり、背景部分等のノイズとなる要素を取り除くことで、さらなる処理の迅速化を図ることも考えられる。
【００７３】
また、上記では、人物やこれに付随する物を検出対象としているが、付随する物については、具体的には、例えば杖（白杖等）や盲導犬、ベビーカーや車いす等の一部を検出したりすることが考えられる。
【００７４】
また、上記では、一例として、監視対象エリアを駅ＳＴのホームＰＦとしているが、これに限らず的確な人検出をすることが望まれる種々の場所を監視対象とすることができる。例えばエスカレーター等における利用者の挟み込みの監視に適用すること等が考えられる。
【００７５】
また、撮像部１０の配置についても、上記のように、ホームＰＦの上方側や側方側に設置されて撮像する場合に限らず、目的とする範囲を撮像できる種々の態様とすることができる。特に、撮像部１０等について、上記のような駅のホームの例であれば、ＩＴＶ（industrial television）装置のような既存のシステムを利用し、これらに画像処理装置１００等を付加して検出システム５００を構成することが考えられる。
【符号の説明】
【００７６】
１０，１０Ａ，１０Ｂ，１０Ｃ…撮像部、３０，３０Ａ，３０Ｂ，３０Ｃ…ディスプレイ表示部、１００，１００Ａ，１００Ｂ，１００Ｃ…画像処理装置、１１０Ａ，１１０Ｂ，１１０Ｃ…映像制御部、１１１…映像分配器、１１２…画像処理部、１１３…切替器、２００…制御装置、５００…検出システム、Ａ１…矢印、ＤＡ１…通常表示用分配データ、ＤＡ２…検出用分配データ、ＤＡｅ…非常時データ、ＤＤ１…第１分割領域、ＤＤ２…第２分割領域、ＤＲ…ドア、ＥＬ…非常灯、ＧＧ…画像、ＨＵ…人（乗客）、ＬＬ…ライン、ＭＶ１，ＭＶ２…移動ベクトル、ＰＦ…ホーム、ＳＫ…スピーカ、ＳＴ…駅、ＴＣ…通信部、ＴＣｒ…通信部、ＴＫ…線路、ＴＲ…列車
【図１】
2020138630.tif 000004
【図２】
2020138630.tif 000005
【図３】
2020138630.tif 000006
【図４】
2020138630.tif 000007
【図５】
2020138630.tif 000008
【図６】
2020138630.tif 000009
【図７】
2020138630.tif 000010
【図８】
2020138630.tif 000011